(57)【要約】【課題】電話回線側からの各種イベントを検知できる状態を維持しつつ高い省電力効果を得ることが可能な通信装置を提供する。【解決手段】複合機１は、動作モードとして、スイッチング電源４１が動作して電力を供給する通常モードと、スイッチング電源４１が動作を停止するＯＦＦモードを備えている。ＤＡＡ２１は、スイッチング電源４１からの電力で動作するため、ＯＦＦモード時は動作できない。一方、ＯＦＦモード中も、省電力チップ７などの最低限の回路は、例えばバックアップ電源８によって動作する。ＯＦＦモード時に回線イベントが発生すると、フォトトランジスタ２６がオンし、電源ソフトスイッチ３１が押し操作された場合と等価な状態が発生する。つまり電源ソフトスイッチ３１が擬似的にオンされる。これにより、省電力チップ７がスイッチング電源４１を起動させ、動作モードを通常モードに復帰させる。【選択図】図１
2014168177.tif 000002
【特許請求の範囲】
【請求項１】
電話回線に接続可能な通信装置であって、
供給される動作用電力により動作し、前記電話回線に接続されて前記電話回線との間で信号送受を行う回線接続部と、
前記回線接続部を含む供給対象へ前記動作用電力を供給する主電源部と、
前記電話回線の電気的変化を回線イベントとして検出する回線イベント検出部と、
当該通信装置の動作モードが、少なくとも前記回線接続部に対する前記動作用電力の供給が停止される停止モードに設定されている間に、前記回線イベント検出部により前記回線イベントが検出された場合、前記動作モードを、前記主電源部から前記回線接続部へ前記動作用電力が供給される通常モードに設定する通常モード設定部と、
を備えることを特徴とする通信装置。
【請求項２】
請求項１に記載の通信装置であって、
前記主電源部とは別に設けられ、所定電圧のバックアップ電力を供給するバックアップ電源部を備え、
前記回線イベント検出部及び前記通常モード設定部は、前記動作モードが前記停止モードに設定されている間は、前記バックアップ電源部からの前記バックアップ電力により動作する
ことを特徴とする通信装置。
【請求項３】
請求項２に記載の通信装置であって、
前記停止モードは、前記主電源部から前記供給対象への前記動作用電力の供給が行われない動作モードであり、
前記通常モードは、前記主電源部から前記供給対象への前記動作用電力の供給が行われる動作モードである
ことを特徴とする通信装置。
【請求項４】
請求項２又は請求項３に記載の通信装置であって、
当該通信装置を起動又は停止させるための入力操作を受け付け可能であって、前記入力操作が受け付けられた場合にその旨を示す操作信号を前記通常モード設定部へ出力する操作信号出力部を備え、
前記操作信号出力部は、前記動作モードが前記停止モードに設定されている間は前記バックアップ電源部からの前記バックアップ電力により動作し、
前記回線イベント検出部は、前記回線イベントを検出した場合、直接的又は間接的に前記操作信号を生成して前記通常モード設定部へ出力し、
前記通常モード設定部は、前記動作モードが前記停止モードに設定されている間に前記操作信号が入力された場合、前記動作モードを前記通常モードに設定する
ことを特徴とする通信装置。
【請求項５】
請求項４に記載の通信装置であって、
前記動作モードが前記通常モードに設定されている間は前記回線イベント検出部から前記通常モード設定部へ前記操作信号が出力されないようにするための操作信号遮断部を備えている
ことを特徴とする通信装置。
【請求項６】
請求項５に記載の通信装置であって、
前記操作信号遮断部は、前記回線イベント検出部から前記通常モード設定部への前記操作信号の伝送経路を遮断するラッチングリレーを備えている
ことを特徴とする通信装置。
【請求項７】
請求項６に記載の通信装置であって、
前記操作信号遮断部は、前記通常モード設定部により前記動作モードが前記通常モードに設定された場合は、前記ラッチングリレーを、前記伝送経路が遮断されるようにセットする
ことを特徴とする通信装置。
【請求項８】
請求項４〜請求項７の何れか１項に記載の通信装置であって、
前記回線イベント検出部は、電気的に絶縁された発光素子及び受光素子を有するフォトカプラを備え、前記電話回線の電気的変化が生じた場合に前記発光素子が発光してその光が前記受光素子で受光されると前記操作信号を生成するよう構成されている
ことを特徴とする通信装置。
【請求項９】
請求項４〜請求項８の何れか１項に記載の通信装置であって、
前記操作信号出力部は、前記入力操作がなされている間にオンして前記入力操作がなされていない間はオフする操作スイッチを備え、前記操作スイッチがオンされている間に前記操作信号を出力するよう構成されており、
前記回線イベント検出部は、前記操作スイッチに対して並列に接続された回路であって、前記回線イベントを検出した場合に前記操作スイッチの両端を導通させることにより前記操作スイッチを等価的にオンさせて前記操作信号出力部に前記操作信号を出力させる操作スイッチ導通用回路を備えている
ことを特徴とする通信装置。
【請求項１０】
請求項１〜請求項９の何れか１項に記載の通信装置であって、
前記動作モードが前記通常モードに設定されている間に所定の停止条件が成立した場合に、前記動作モードを前記停止モードに設定する停止モード設定部を備えている
ことを特徴とする通信装置。
【請求項１１】
請求項１０に記載の通信装置であって、
前記主電源部は、前記動作モードが前記通常モードに設定されている間に停止信号が入力されると前記動作用電力の供給を停止するよう構成されており、
前記停止モード設定部は、前記通常モードから前記停止モードへの設定を、前記主電源部へ前記停止信号を直接又は間接に出力することにより行う
ことを特徴とする通信装置。
【請求項１２】
請求項１〜請求項１１の何れか１項に記載の通信装置であって、
前記主電源部は、前記動作モードが前記停止モードに設定されている間に開始信号が入力されると前記動作用電力の供給が可能となるように構成されており、
前記通常モード設定部は、前記停止モードから前記通常モードへの設定を、前記主電源部へ前記開始信号を直接又は間接に出力することにより行う
ことを特徴とする通信装置。
【発明の詳細な説明】
【技術分野】
【０００１】
本発明は、電話回線に接続されて使用される通信装置に関する。
【背景技術】
【０００２】
電話機能やファクシミリ機能などの、電話回線側（交換機等）との間で通信を行う機能（以下「回線通信機能」ともいう）を備えた通信装置には、様々な形態のものがある。例えば、回線通信機能を主機能として備えた専用機のほか、回線通信機能に加えて印刷機能やコピー機能なども兼ね備えたいわゆる複合機などがある。
【０００３】
このような通信装置は、一般に、装置内の各部へ電力を供給するための主電源回路を備えている。例えば複合機においては、電源スイッチがオンされると、印刷機構やコピー機構、ＤＡＡ（Data Access Arrangement ）やモデムなどの各種通信回路、これら各機構の動作を制御する制御回路などの装置内の各部に、主電源回路から電力が供給され、これにより装置内の各部が動作可能な状態となる。
【０００４】
近年、通信装置を含む各種電気機器には、消費電力低減のために、動作モードとして、主電源回路から各部へ電力が供給される（或いは供給可能な状態となる）通常モードのほかに、制御回路等の必要最小限の回路へ微小電力を供給する以外は主電源回路からの電力供給を停止するスリープモードが備えられている（例えば、特許文献１参照。）。
【先行技術文献】
【特許文献】
【０００５】
【特許文献１】特開２００１−４５６７８号公報
【発明の概要】
【発明が解決しようとする課題】
【０００６】
動作モードとしてスリープモードを備えることにより省電力を実現できるが、消費電力低減への要求は年々高まっており、さらなる省電力が求められている。スリープモードよりもさらに消費電力を低減するための一手法として、主電源回路からの電力供給を完全に停止させるモード（以下「ＯＦＦモード」という）を備えることが考えられる。
【０００７】
ＯＦＦモードでは、制御回路や各種通信回路は電力供給が遮断されて動作が完全に停止する。ただし、ＯＦＦモードでは、電源スイッチのオン・オフ検知やＲＴＣ（Real Time Clock ）、ＯＦＦモード解除条件検知、主電源回路への起動要求などの必要最小限の機能のみ、別途、二次電池やスーパーキャパシタなどのバックアップ電源で動作が継続される。そのため、ＯＦＦモードでは、必要最小限の機能を維持しつつ、スリープモードよりも高い省電力効果が得られる。
【０００８】
しかし、回線通信機能を備えた通信装置に対して動作モードとしてＯＦＦモードを備えるようにすると、高い省電力効果が得られる反面、ＯＦＦモード中はＤＡＡやモデムなどの各種通信回路の動作が停止するため、呼出信号や極性反転などの電話回線側からの各種イベントを検知することができなくなる。
【０００９】
そのため、回線通信機能を備えた通信装置においては、いつ発生するかわからない電話やファクシミリの着信に対応できるようにするためにも、動作モードをＯＦＦモードに設定することは現実的ではない。
【００１０】
本発明は上記課題に鑑みなされたものであり、電話回線側からの各種イベントを検知できる状態を維持しつつ高い省電力効果を得ることが可能な通信装置を提供することを目的とする。
【課題を解決するための手段】
【００１１】
上記課題を解決するためになされた本発明の通信装置は、電話回線に接続可能な通信装置であって、供給される動作用電力により動作し、電話回線に接続されて電話回線との間で信号送受を行う回線接続部と、回線接続部を含む供給対象へ動作用電力を供給する主電源部と、電話回線の電気的変化を回線イベントとして検出する回線イベント検出部と、当該通信装置の動作モードが、少なくとも回線接続部に対する動作用電力の供給が停止される停止モードに設定されている間に、回線イベント検出部により回線イベントが検出された場合、動作モードを、主電源部から回線接続部へ動作用電力が供給される通常モードに設定する通常モード設定部とを備えることを特徴とする。
【００１２】
このように構成された本発明の通信装置では、回線接続部に動作用電源が供給されない停止モード中は、回線接続部とは別に備えられた回線イベント検出部が回線イベントを検出する。回線イベント検出部により回線イベントが検出されたら、通常モード設定部が動作モードを通常モードに設定する。そのため、電話回線側からの回線イベントを検出できる状態を維持しつつ高い省電力効果を得ることが可能となる。
【００１３】
本発明の通信装置は、主電源部とは別に所定電圧のバックアップ電力を供給するバックアップ電源部を備え、動作モードが停止モードに設定されている間は回線イベント検出部及び通常モード設定部はバックアップ電源部からのバックアップ電力により動作するように構成してもよい。
【００１４】
このように構成された通信装置によれば、停止モード中に回線イベント検出部及び通常モード設定部に主電源部からの動作用電力が供給されなくなっても、バックアップ電力によって停止モード中に回線イベントの検出及び停止モードから通常モードへの切り替えを確実に行うことができる。換言すれば、停止モード中に回線イベント検出部及び通常モード設定部に対する主電源部からの動作用電力の供給は不要となるため、その分、停止モード時の省電力効果を高めることができる。
【００１５】
停止モード及び通常モードは、それぞれ次のような動作モードとすることができる。すなわち、停止モードは、主電源部から供給対象への動作用電力の供給が行われない動作モードである。通常モードは、主電源部から供給対象への動作用電力の供給が行われる動作モードである。
【００１６】
このように、停止モード時には主電源部から供給対象への動作用電力の供給を行わないようにすることで、停止モード時であっても電話回線側からの各種イベントを検知できる状態を維持しながら、より高い省電力効果を得ることができる。
【００１７】
本発明の通信装置は、次のように構成してもよい。すなわち、当該通信装置を起動又は停止させるための入力操作を受け付け可能な操作信号出力部を備える。この操作信号出力部は、動作モードが停止モードに設定されている間はバックアップ電源部からのバックアップ電力により動作し、入力操作が受け付けられた場合にその旨を示す操作信号を通常モード設定部へ出力する。回線イベント検出部は、回線イベントを検出した場合、直接的又は間接的に操作信号を生成して通常モード設定部へ出力する。通常モード設定部は、動作モードが停止モードに設定されている間に操作信号が入力された場合、動作モードを通常モードに設定する。
【００１８】
このように構成された通信装置によれば、停止モード中に回線イベントが検出された場合、回線イベント検出部は、操作信号出力部において入力操作がなされたときと同等の動作を擬似的に発生させる。そのため、停止モード中に回線イベントが検出された場合の通常モードへの切り替えを、簡素な構成で確実に行うようにすることができる。
【００１９】
上記のように操作信号出力部を備えた構成の場合、更に、動作モードが通常モードに設定されている間は回線イベント検出部から通常モード設定部へ操作信号が出力されないようにするための操作信号遮断部を備えるようにしてもよい。
【００２０】
通常モード時にも回線イベント検出部から操作信号が出力されるようにすると、通常モード時に回線イベントが発生する度に回線イベント検出部からの操作信号によって当該通信装置の起動・停止が交互に繰り返されてしまうおそれがある。そこで、操作信号遮断部を備えることで、通常モード時において回線イベント検出部からの操作信号に起因する当該通信装置の起動・停止の交互繰り返しの発生を防ぐことができる。
【００２１】
上記のように操作信号出力部を備えた構成の場合、操作信号遮断部は、具体的には、回線イベント検出部から通常モード設定部への操作信号の伝送経路を遮断するラッチングリレーを備えた構成としてもよい。そして、操作信号遮断部は、通常モード設定部により動作モードが通常モードに設定された場合にラッチングリレーを伝送経路が遮断されるようにセットするようにするとよい。
【００２２】
ラッチングリレーは、オンからオフ又はオフからオンへの切り替え時に通電が必要であるものの切り替え後は通電が不要な構成のリレーである。そのため、回線イベント検出部から通常モード設定部への操作信号の伝送経路の導通・遮断を低電力で実現できる。
【００２３】
上記のように操作信号出力部を備えた構成の場合、回線イベント検出部は、電気的に絶縁された発光素子及び受光素子を有するフォトカプラを備え、電話回線の電気的変化が生じた場合に発光素子が発光してその光が受光素子で受光されると操作信号を生成するよう構成してもよい。フォトカプラを用いることで、電話回線側と装置内部側との絶縁を簡素な構成で確実に確保しつつ、高い省電力効果を得ることができる。
【００２４】
操作信号出力部及び回線イベント検出部は、より具体的には、次のように構成することができる。すなわち、操作信号出力部は、入力操作がなされている間にオンして入力操作がなされていない間はオフする操作スイッチを備え、その操作スイッチがオンされている間に操作信号を出力するよう構成する。回線イベント検出部は、操作スイッチに対して並列に接続された操作スイッチ導通用回路を備える。この操作スイッチ導通用回路は、回線イベントを検出した場合に操作スイッチの両端を導通させることにより操作スイッチを等価的にオンさせて操作信号出力部に操作信号を出力させる。
【００２５】
つまり、操作スイッチ導通用回路は、回線イベントが検出された場合に操作スイッチを等価的（擬似的）にオンさせるのである。このように操作スイッチを等価的にオンさせて操作信号出力部から操作信号を出力させることで、操作信号出力部とは別に操作信号を出力する回路等を設ける必要がなくなる。そのため、簡素な構成でありながら回線イベント発生時に確実に操作信号を出力させて動作モードを通常モードに切り替えることができる。
【００２６】
本発明の通信装置は、さらに、動作モードが通常モードに設定されている間に所定の停止条件が成立した場合に、動作モードを停止モードに設定する、停止モード設定部を備えるようにしてもよい。停止条件を適宜設定することで、適切なタイミングで動作モードを停止モードに設定することができ、省電力効果を安定的に得ることができる。
【００２７】
また、主電源部が、動作モードが通常モードに設定されている間に停止信号が入力されると動作用電力の供給を停止するよう構成されている場合は、停止モード設定部は、通常モードから停止モードへの設定を、主電源部へ停止信号を直接又は間接に出力することにより行うようにするとよい。
【００２８】
更に、主電源部が、動作モードが停止モードに設定されている間に開始信号が入力されると動作用電力の供給が可能となるように構成されている場合は、通常モード設定部は、停止モードから通常モードへの設定を、主電源部へ開始信号を直接又は間接に出力することにより行うようにするとよい。
【００２９】
このように、主電源部への開始信号又は停止信号によって動作モードを切り替えできるようにすることで、動作モードの切り替えを簡素な構成で容易に行うことができる。
【図面の簡単な説明】
【００３０】
【図１】実施形態の複合機の概略構成を表す構成図である。
【図２】ＣＰＵが実行するメイン処理を表すフローチャートである。
【図３】実施形態の複合機における回線イベント発生時の動作例を表すタイムチャートである。
【発明を実施するための形態】
【００３１】
以下に、本発明の好適な実施形態を図面に基づいて説明する。なお、本発明は、下記の実施形態に示された具体的手段や構造等に限定されるものではなく、本発明の要旨を逸脱しない範囲において種々の形態を採り得る。また、下記の実施形態の構成の一部を、課題を解決できる限りにおいて省略した態様も本発明の実施形態である。
【００３２】
図１に示すように、本発明が適用された実施形態の複合機１は、音声通話機能、ファクシミリ通信機能、コピー機能、スキャナ機能などの複数の機能を備えたものであり、メイン基板１０と、通信回路基板２０と、パネル基板３０と、電源基板４０と、回線接続コネクタ５０とを備えている。なお、複合機１は、図１に示した構成の他にも、印刷を行う印刷機構や、原稿の画像読取を行う画像読取機構等も備えているが、それらについては図示を省略している。
【００３３】
電源基板４０は、スイッチング電源４１と、発振制御部４２とを備えている。スイッチング電源４１は、外部から入力される商用のＡＣ電源（例えばＡＣ１００Ｖ電源）を複数種類のＤＣ電源電圧に降圧してメイン基板１０やその他必要な回路・機構等へ出力する。本実施形態では、スイッチング電源４１は、２４Ｖの第１ＤＣ電源電圧Ｖ１、５Ｖの第２ＤＣ電源電圧Ｖ２、及び３．３Ｖの第３ＤＣ電源電圧Ｖ３を生成してメイン基板１０等へ出力する。
【００３４】
なお、通信回路基板２０には、スイッチング電源４１で生成された第３ＤＣ電源電圧Ｖ３が、メイン基板１０を介して供給される。ただし、スイッチング電源４１から直接供給される構成であってもよい。
【００３５】
発振制御部４２は、メイン基板１０から入力される電源発振停止・開始パルス信号に基づいてスイッチング電源４１を発振又は停止させる。なお、スイッチング電源４１について「発振」とは、商用ＡＣ電源を各ＤＣ電源電圧Ｖ１，Ｖ２，Ｖ３へ降圧して出力する動作を意味する。
【００３６】
発振制御部４２は、スイッチング電源４１が発振しているときにメイン基板１０から電源発振停止・開始パルス信号が入力された場合はスイッチング電源４１を停止させ、スイッチング電源４１が動作を停止しているときにメイン基板１０から電源発振停止・開始パルス信号が入力された場合はスイッチング電源４１の発振を開始させる。
【００３７】
パネル基板３０は、複合機１の動作をオン／オフさせるためにユーザにより操作される電源ソフトスイッチ３１を備えている。この電源ソフトスイッチ３１は、一端がメイン基板１０内の抵抗Ｒ１の一端に接続され、他端がグランドラインに接続されている。
【００３８】
電源ソフトスイッチ３１は、物理的構成としては、ユーザが押し操作している間だけ接点が閉じてオンになるいわゆる自動復帰型のスイッチである。即ち、ユーザが押し操作すると、接点が閉じてオンし、抵抗Ｒ１の一端とグランドラインとがこの電源ソフトスイッチ３１を介して導通する。ユーザが電源ソフトスイッチ３１を離すと、接点が開いてオフし、抵抗Ｒ１の一端とグランドラインとの間の経路が遮断される。
【００３９】
通信回路基板２０は、ＤＡＡ２１と、モデム２２と、トランス２３と、フォトカプラ２４とを備えている。ＤＡＡ２１は、ラインコード６０を介して公衆の電話回線に接続される。ラインコード６０は、複合機１を電話回線に接続するためのケーブルであり、一対の電話線Ｌ１，Ｌ２を備えている。ラインコード６０が回線接続コネクタ５０に接続されると、ラインコード６０の一対の電話線Ｌ１，Ｌ２がそれぞれ通信回路基板２０内の一対の回線接続ラインＬ１１，Ｌ１２に接続され、これにより、電話回線とＤＡＡ２１とが接続された状態となる。
【００４０】
ＤＡＡ２１は、アナログの電話回線接続用のインタフェースとして用いられる周知の回線接続モジュールであり、メイン基板１０内のＣＰＵ３からモデム２２経由で入力される各種指令に従って、電話回線の閉結や開放、電話回線からの各種入力信号（例えば呼出信号、ダイヤルトーン、極性反転など）の検出、電話回線への各種出力信号の送出などを行う。
【００４１】
ＤＡＡ２１は、複合機１における一次側（ＤＡＡ２１，回線接続コネクタ５０側）と二次側（モデム２２側）とを直流的に絶縁するために、トランス２３を介してモデム２２に接続されている。ＤＡＡ２１の動作用電源は、モデム２２からトランス２３を介して供給される。また、ＤＡＡ２１とモデム２２との間の各種信号等の入出力も、トランス２３を介して行われる。
【００４２】
モデム２２は、ファクシミリ通信において送受信されるファクシミリ信号の変調・復調といった基本的機能を有する他、メイン基板１０のＣＰＵ３からの指令に従いながらＤＡＡ２１を制御し、ＤＡＡ２１への各種信号等の出力や、ＤＡＡ２１からの各種入力信号・回線電圧等の受信などを行う。
【００４３】
フォトカプラ２４は、発光ダイオード部２５とフォトトランジスタ２６を備えている。発光ダイオード部２５は、互いに逆方向となるように並列接続された２つの発光ダイオードからなる。発光ダイオード部２５の一端は、コンデンサＣ１を介して一方の回線接続ラインＬ１１に接続され、発光ダイオード部２５の他端は、他方の回線接続ラインＬ１２に接続されている。
【００４４】
そのため、電話回線において例えば極性反転が生じたり呼出信号が出力されたりすることによって電話回線に電気的変化（一対の電話線Ｌ１，Ｌ２の線間電圧の変動）が生じると、発光ダイオード部２５を構成する２つの発光ダイオードのうち何れか一方が発光し、その発光している間、フォトトランジスタ２６がオンする。
【００４５】
フォトトランジスタ２６は、一端（エミッタ）がパネル基板３０内の電源ソフトスイッチ３１の他端に接続（すなわちグランドラインに接続）されている。フォトトランジスタ２６の他端（コレクタ）は、メイン基板１０内のラッチングリレー１２を介して抵抗Ｒ１の一端に接続（すなわち電源ソフトスイッチ３１の一端に接続）されている。つまり、電源ソフトスイッチ３１には、フォトトランジスタ２６及びラッチングリレー１２が直列接続されてなる回路が、並列に接続されている。なお、フォトトランジスタ２６のエミッタとコレクタの間には、コンデンサＣ２が接続されている。
【００４６】
ラッチングリレー１２は、スイッチ部１３と、スイッチ部１３を動作させるセット（Ｓ）／リセット（Ｒ）コイル部１４とを備えている。スイッチ部１３は、１つのコモン端子と２つの接点とを備え、コモン端子は抵抗Ｒ１の一端に接続（すなわち電源ソフトスイッチ３１の一端に接続）されており、２つの接点のうち一方がフォトトランジスタ２６の他端（コレクタ）に接続されている。このフォトトランジスタ２６の他端に接続されている接点を、以下、カプラ側接点ともいう。
【００４７】
ラッチングリレー１２のスイッチ部１３は、Ｓ／Ｒコイル部１４にパルスが入力される度に接点が切り替わる。図１では、スイッチ部１３が、カプラ側接点に切り替えられてコモン端子とカプラ側接点とが導通した状態となっており、本実施形態ではこの状態をセット状態という。逆に、スイッチ部１３がカプラ側接点とは別のもう一方の接点に切り替えられた状態をリセット状態という。
【００４８】
ラッチングリレー１２は、スイッチ部１３の切り替え時のみＳ／Ｒコイル部１４への通電（パルス入力）を必要とし、切り替え後の状態維持のための定常的な通電は不要なリレーである。すなわち、スイッチ部１３がリセット状態にあるときに、Ｓ／Ｒコイル部１４にセット用のパルスが入力されると、スイッチ部１３がセットされる（すなわちセット状態に切り替わる）。スイッチ部１３がセット状態にあるときに、Ｓ／Ｒコイル部１４にリセット用のパルスが入力されると、スイッチ部１３がリセットされる（すなわちリセット状態に切り替わる）。つまり、Ｓ／Ｒコイル部１４にパルスが入力される度に、スイッチ部１３のセット、リセット状態が切り替わる。Ｓ／Ｒコイル部１４へのパルス入力によりスイッチ部１３の状態が切り替わると、その後再びパルスが入力されるまでの間は、Ｓ／Ｒコイル部１４は非通電状態であるもののその切り替わった状態は維持される。
【００４９】
次に、メイン基板１０について説明する。メイン基板１０は、ＣＰＵ３、省電力チップ７、バックアップ電源８、電圧変換部９、リレードライブ回路１１、ラッチングリレー１２、抵抗Ｒ１などを備えている。
【００５０】
ＣＰＵ３は、複合機１が備える各種機能を実現するための各種制御処理等を実行する。ＣＰＵ３の機能には、リレードライブ回路１１や図示しない印刷機構、画像読取機構などの各部を制御・動作させる機能も含まれる。ＣＰＵ３は、ラッチングリレー１２をセット状態にさせる際は、リレードライブ回路１１へセット指令を出力し、ラッチングリレー１２をリセット状態にさせる際は、リレードライブ回路１１へリセット指令を出力する。
【００５１】
リレードライブ回路１１は、ＣＰＵ３からの指令に基づき、ラッチングリレー１２を切り替えるためのパルスを出力する。具体的には、ＣＰＵ３からセット指令が入力された場合は、ラッチングリレー１２のＳ／Ｒコイル部１４へセット用のパルス（セットパルス）を出力して、ラッチングリレー１２をセット状態にさせる。ＣＰＵ３からリセット指令が入力された場合は、ラッチングリレー１２のＳ／Ｒコイル部１４へリセット用のパルス（リセットパルス）を出力して、ラッチングリレー１２をリセット状態にさせる。
【００５２】
省電力チップ７は、起動検知部１５、ＲＴＣ（リアルタイムクロック）１６、電源制御部１７などを備えたＩＣ（半導体集積回路）である。起動検知部１５は、電源ソフトスイッチ３１の操作の有無を検知する機能のほか、後述する動作モードの切替タイミング（特にＯＦＦモードから通常モードへの切り替え（復帰）タイミング）を検知する機能を備えている。ＲＴＣ１６は、現在時刻を保持・出力する。電源制御部１７は、ＣＰＵ３からの指令又は起動検知部１５からの指令に基づいて、電源基板４０の発振制御部４２へ、電源発振停止・開始パルス信号を出力する。省電力チップ７は、スイッチング電源４１からの第２ＤＣ電源電圧Ｖ２又はバックアップ電源８からの電力により動作する。
【００５３】
電圧変換部９は、スイッチング電源４１からの第２ＤＣ電源電圧Ｖ２又はバックアップ電源８からの電圧（約５Ｖ）を、３．３Ｖの操作検知用電圧Ｖｂに変換する。この操作検知用電圧Ｖｂは、抵抗Ｒ１の他端に印加される。抵抗Ｒ１の一端は、既述の通り電源ソフトスイッチ３１に接続されると共に、省電力チップ７内の起動検知部１５にも接続されている。つまり、起動検知部１５には、抵抗Ｒ１の一端の電圧が、スイッチ操作信号Ｐｓとして入力される。
【００５４】
このような構成により、起動検知部１５には、電源ソフトスイッチ３１が押し操作されていない場合は、３．３Ｖの操作検知用電圧Ｖｂが抵抗Ｒ１を介して入力される。つまり、３．３Ｖのスイッチ操作信号Ｐｓが入力される。一方、電源ソフトスイッチ３１が押し操作されると、抵抗Ｒ１の一端が電源ソフトスイッチ３１を介してグランドラインに接続され、これによりスイッチ操作信号Ｐｓは０Ｖとなる。
【００５５】
起動検知部１５は、入力されるスイッチ操作信号Ｐｓの電圧の変化によって、電源ソフトスイッチ３１が押し操作されたことを検知する。そして、電源ソフトスイッチ３１の押し操作が検出される度に、後述するように複合機１の動作モードを切り替える。
【００５６】
ここで、複合機１の動作モードについて説明する。本実施形態の複合機１は、動作モードとして、通常モードとＯＦＦモードを有している。通常モードは、スイッチング電源４１から複合機１内の各部へ各種ＤＣ電源電圧Ｖ１，Ｖ２，Ｖ３が供給されて複合機１内の各部が動作可能となる動作モードである。通常モードでは、スイッチング電源４１からの各種ＤＣ電源電圧Ｖ１，Ｖ２，Ｖ３がメイン基板１０に供給され、このうち少なくとも３．３Ｖの第３電源電圧Ｖ３は通信回路基板２０にも供給される。
【００５７】
そのため、通常モードでは、メイン基板１０においては、ＣＰＵ３が動作して、複合機１が備える各種機能の実行が可能となる。通信回路基板２０においても、ＤＡＡ２１やモデム２２などの各回路が動作可能となり、これにより、電話回線を介した音声電話やファクシミリ通信等の各種通信が可能となる。そのため、通常モードでは、例えば音声電話の着信時に電話回線の極性が反転すると、その極性反転がＤＡＡ２１により検出され、ＤＡＡ２１が回線を閉結する。そして、ＣＰＵ３の制御のもとで、呼出音の鳴動や回線側への応答信号送信などの各種動作を経て、発呼側との音声通話が可能となる。
【００５８】
また、通常モード時は、スイッチング電源４１からの第２ＤＣ電源電圧Ｖ２が、ダイオードＤ１を介して省電力チップ７及び電圧変換部９へ入力される。そのため、省電力チップ７及び電圧変換部９は、通常モード時には、スイッチング電源４１からの第２ＤＣ電源電圧Ｖ２により動作する。
【００５９】
一方、ＯＦＦモードは、複合機１が一定時間使用されていない待機時や、通常モード中にユーザが電源ソフトスイッチ３１を押し操作した場合などに設定される動作モードであって、スイッチング電源４１の発振が停止されて各種ＤＣ電源電圧Ｖ１，Ｖ２，Ｖ３の供給が停止される（各ＤＣ電源電圧Ｖ１，Ｖ２，Ｖ３が０Ｖになる）動作モードである。スイッチング電源４１の発振が完全に停止するため、ＯＦＦモード中の待機電力はほとんどゼロである。ＯＦＦモードを導入していることで、本実施形態の複合機１では、非常に高いレベルの省電力が実現される。
【００６０】
ＣＰＵ３は、通常モード時に常時、動作モードをＯＦＦモードへ切り替えるべきＯＦＦモード切替条件が成立したか否かを判断している。本実施形態では、ＯＦＦモード切替条件として、例えば、複合機１が一定時間使用されていないことや、電源ソフトスイッチ３１が押し操作されたことなどが設定されている。ＣＰＵ３は、ＲＴＣ１６からの時刻情報やスイッチ操作信号Ｐｓなどの各種情報を用いながら、ＯＦＦモード切替条件が成立したかどうか判断し、ＯＦＦモード切替条件が成立した場合は、電源制御部１７に対して電源発振停止・開始パルス信号を出力させる。通常モード時に電源制御部１７が電源発振停止・開始パルス信号を出力すると、電源基板４０において発振制御部４２がスイッチング電源４１の発振を停止させるため、これにより動作モードが通常モードからＯＦＦモードに切り替わる。
【００６１】
ＯＦＦモードでは、スイッチング電源４１の発振が停止されるため、ＣＰＵ３やＤＡＡ２１、モデム２２などの、複合機１内のほとんどの回路は、電力供給が途絶えて停止する。そのため、従来のスリープモードよりもさらに消費電力が抑えられる。
【００６２】
ただし、ＯＦＦモード中であっても維持させるべき機能（以下「最低基本機能」ともいう）がいくつかある。例えば、ＲＴＣ１６、電源ソフトスイッチ３１の操作有無検知、ＯＦＦモードを解除して通常モードに復帰させる復帰条件を検出するための起動検知部１５、ＯＦＦモード解除の際にスイッチング電源４１を発振させるために電源発振停止・開始パルス信号を出力する電源制御部１７などが、最低基本機能の一例である。つまり、ＯＦＦモード中であっても、最低限、省電力チップ７内の各部の動作や、電源ソフトスイッチ３１の操作有無検知は、維持させる必要がある。
【００６３】
そこで本実施形態では、ＯＦＦモード中であってもこれら最低基本機能を維持させるために、バックアップ電源８を搭載している。バックアップ電源８の具体的構成は種々考えられるが、本実施形態では、スーパーキャパシタＣ０を備えた構成となっている。
【００６４】
スーパーキャパシタＣ０には、通常モード中にスイッチング電源４１から５Ｖの第２ＤＣ電源電圧Ｖ２が供給され、これにより５Ｖに充電される。ＯＦＦモードになると、スーパーキャパシタＣ０の充電電力が、バックアップ電力として省電力チップ７や電圧変換部９に供給されてこれらが動作可能となり、これにより最低基本機能が維持される。
【００６５】
動作モードをＯＦＦモードから通常モードへ復帰させるための復帰条件として、本実施形態では、例えば、電源ソフトスイッチ３１が押し操作されたことや、スーパーキャパシタＣ０の充電電圧が規定の下限電圧以下になったこと、ＯＦＦモードが一定時間継続していること、などが設定されている。
【００６６】
すなわち、ＯＦＦモード中に電源ソフトスイッチ３１が押し操作されると、起動検知部１５に入力されるスイッチ操作信号Ｐｓは、Ｈｉｇｈレベル（３．３Ｖ）からＬｏｗレベル（０Ｖ）に変化する。起動検知部１５は、そのスイッチ操作信号Ｐｓの変化を検出すると、電源制御部１７に対して電源発振停止・開始パルス信号を出力させることで、動作モードを通常モードに復帰させる。
【００６７】
また、ＯＦＦモードが一定時間継続した場合も、一時的に通常モードに復帰させて、例えば印刷機構のクリーニング処理などの所定の処理を実行させる。起動検知部１５は、ＲＴＣ１６の時刻情報をもとに、ＯＦＦモードが一定時間継続したか否か判断する。そして、一定時間継続した場合、電源制御部１７に対して電源発振停止・開始パルス信号を出力させることで、動作モードを通常モードに復帰させる。ＣＰＵ３は、一定時間継続によって通常モードに復帰された場合は、必要な所定の処理を実行した後、再びＯＦＦモードに切り替える。
【００６８】
また、ＯＦＦモード中にスーパーキャパシタＣ０の充電電圧が下限電圧値以下になった場合も、一時的に通常モードに復帰させ、スイッチング電源４１の発振を再開させて、スーパーキャパシタＣ０を充電させる。起動検知部１５は、スーパーキャパシタＣ０の充電電圧を監視し、下限電圧値以下になった場合、電源制御部１７に対して電源発振停止・開始パルス信号を出力させることで、動作モードをＯＦＦモードから通常モードに復帰させる。この場合のＯＦＦモード解除は、スーパーキャパシタＣ０の充電電力を補充するための解除である。そのため、一時的にＯＦＦモードが解除されるものの、スーパーキャパシタＣ０が一定量充電されたら、ＣＰＵ３は再び動作モードをＯＦＦモードに切り替える。
【００６９】
なお、バックアップ電源８の具体的構成は他にも種々考えられ、例えば、ＡＣダイレクト小容量電源や、スーパーキャパシタとＡＣダイレクト小容量電源の併用、あるいは２次電池などを備えるようにしてもよい。
【００７０】
ＡＣダイレクト小容量電源とは、スイッチング電源４１とは別に設けられ、外部の商用ＡＣ電源からバックアップ電源電圧（本例ではＤＣ５Ｖ）を生成して省電力チップ７や電圧変換部９へ供給するための電源回路である。ＡＣダイレクト小容量電源は、例えばダイオードブリッジからなる整流回路、ツェナーダイオード、平滑コンデンサなどからなるごく簡素な回路にて構成できる。ＡＣダイレクト小容量電源は、商用ＡＣ電源が入力されている限り常時バックアップ電源電圧を生成可能である。
【００７１】
バックアップ電源８が上記のようなＡＣダイレクト小容量電源で構成されている場合、その構成上、ＯＦＦモード中でも、商用ＡＣ電源から直接、最低基本機能維持のために必要なバックアップ電力を得ることができる。
【００７２】
バックアップ電源８がスーパーキャパシタＣ０とＡＣダイレクト小容量電源の併用構成である場合、スーパーキャパシタＣ０の電力及びＡＣダイレクト小容量電源からの電力の双方がバックアップ電力として存在することで、能力の高いバックアップ電源回路が実現される。なお、バックアップ電源８がスーパーキャパシタＣ０とＡＣダイレクト小容量電源の併用構成である場合は、スーパーキャパシタＣ０はＯＦＦモード中もＡＣダイレクト小容量電源により充電される。そのため、バックアップ電源８をスーパーキャパシタＣＯだけで構成する場合のようにＯＦＦモード中にスーパーキャパシタＣ０の充電電圧によって一時的にＯＦＦモードが解除されることはない。
【００７３】
動作モードとしてＯＦＦモードを備える本実施形態の複合機１では、動作モードがＯＦＦモードになると、スイッチング電源４１からの電力供給が途絶えるため、通信回路基板２０においてもＤＡＡ２１やモデム２２などの動作が停止する。そのため、ＯＦＦモードになると、電話回線が極性反転したり呼出信号が入力されたりするなどの、電話回線側（交換機等）の制御動作等に起因した電話回線の電気的変化（回線イベント）が生じても、ＤＡＡ２１はその回線イベントを検出できない。
【００７４】
そこで本実施形態の複合機１は、ＯＦＦモード時であっても回線イベントを検出して通常モードに復帰させることができるよう、フォトカプラ２４を含む回線イベント検知回路を備えている。この回線イベント検知回路は、主に、一対の回線接続ラインＬ１１，Ｌ１２の間に接続された発光ダイオード部２５や、電源ソフトスイッチ３１に並列接続されている、フォトトランジスタ２６及びラッチングリレー１２が直列接続されてなる回路などにより構成されている。
【００７５】
また、本実施形態では、ＣＰＵ３が、ＯＦＦモードへの切り替え時にラッチングリレーをセット状態にし、ＯＦＦモードから通常モード時に復帰した時にラッチングリレー１２をリセット状態にする。ＣＰＵ３は、ラッチングリレー１２の切り替えを、リレードライブ回路１１を動作させてリレードライブ回路１１からパルスを出力させることにより実現する。図１に示したラッチングリレー１２の状態は、既述の通りセット状態を示しており、これはすなわち、動作モードがＯＦＦモードである場合の状態を示している。
【００７６】
このような構成により、ＯＦＦモード時に、例えば回線イベントとして電話回線の極性反転が生じると、発光ダイオード部２５に電流が流れて何れかの発光ダイオードが発光し、これによりフォトトランジスタ２６がオンする。すると、抵抗Ｒ１の一端は、ラッチングリレー１２及びフォトトランジスタ２６を介してパネル基板３０のグランドラインに接続され、これにより抵抗Ｒ１の一端の電圧は０Ｖとなる。
【００７７】
この状態は、電源ソフトスイッチ３１の両端が導通した状態となっており、電源ソフトスイッチ３１が押し操作された状態と等価である。つまり、本実施形態では、ＯＦＦモード時に回線イベントが発生した場合、フォトトランジスタ２６がオンさせることで電源ソフトスイッチ３１を擬似的にオンさせるのである。フォトトランジスタ２６がオンすると、起動検知部１５に入力されるスイッチ操作信号Ｐｓは０Ｖになる。起動検知部１５は、ＯＦＦモード時にスイッチ操作信号Ｐｓが０Ｖになると、電源ソフトスイッチ３１が押し操作されたものと判断して、動作モードを通常モードに復帰させる。
【００７８】
極性反転に限らず、例えば呼出信号（所定周波数の交流信号）が電話回線から入力された場合も、その呼出信号によって発光ダイオード部２５が発光してフォトトランジスタ２６がオンする。そのため、擬似的に電源ソフトスイッチ３１が押し操作された状態となり、動作モードが通常モードに復帰する。
【００７９】
更に、複合機１にラインコード６０が接続されておらず且つ動作モードがＯＦＦモードになっている状態で、複合機１にラインコード６０が接続された場合も、そのラインコード６０の接続時に一対の電話線Ｌ１，Ｌ２間の電位差（例えば約４８Ｖ）によって発光ダイオード部２５が発光し、これにより動作モードが通常モードに復帰する。
【００８０】
このように、本実施形態の複合機１は、フォトカプラ２４を含む回線イベント検知回路を備えていることで、ＤＡＡ２１が動作しないＯＦＦモード中であっても、ＤＡＡ２１に代わって回線イベントを検知し、通常モードに復帰させることができる。通常モードに復帰した後は、ＤＡＡ２１が動作し、ＤＡＡ２１により回線イベントが検出されて電話回線側との音声通話やファクシミリ通信等が行われることになる。
【００８１】
一方、通常モード時に復帰した後も、回線イベント検知回路をＯＦＦモード時と同じ状態にしたままだと、この回線イベント検知回路の動作によって動作モードの不要な切り替えが発生してしまう。すなわち、動作モードが通常モードのときに、回線イベントが発生すると、ＤＡＡ２１がその回線イベントを検知して所定の処理を行うのと並行して、フォトカプラ２４も動作してフォトトランジスタ２６がオンし、電源ソフトスイッチ３１が擬似的にオンされてしまう。すると、起動検知部１５は、電源ソフトスイッチ３１がオンされたものと判断して、動作モードを通常モードからＯＦＦモードに切り替えてしまう。つまり、通常モード中、回線イベントが発生する度に、電源ソフトスイッチ３１が擬似的にオンされて動作モードが切り替わってしまう。
【００８２】
そこで本実施形態では、回線イベント検知回路にラッチングリレー１２を設けて、通常モード時には回線イベント検知回路が動作しないようにしている。すなわち、ＯＦＦモード時のみラッチングリレー１２をセット状態にして、回線イベントが発生したら電源ソフトスイッチ３１を擬似的にオンできるようにする。そして、通常モード時は、ラッチングリレー１２をリセット状態にして、回線イベントが発生しても電源ソフトスイッチ３１が擬似的にオンされないようにする。
【００８３】
なお、通常モード中に回線イベントにより電源ソフトスイッチ３１が擬似的にオンされるのを防ぐための具体的手段としてラッチングリレー１２を用いるのは、あくまでも一例であり、他の手段を用いて同じ機能を実現するようにしてもよい。
【００８４】
例えば、ラッチングリレー１２ではなく、コイルへの通電・非通電によってスイッチの状態が切り替わる一般的なリレーを用いてもよい。その場合、ＯＦＦモード中の非通電状態のときにスイッチ部１３が図１に示す状態（つまり回線イベント検知回路が有効となる状態）になるようにし、通常モード時にはコイルに通電することでスイッチ部１３を切り替えて回線イベント検知回路を無効とするようにすればよい。
【００８５】
ただし、上記のように一般的なリレーを用いると、通常モード中はリレーのコイルに常時通電する必要があり、その分、通常モード時の消費電力が増加してしまう。そのため、通常モード時の消費電力を少しでも低減させるためには、ラッチングリレー１２を用いた本実施形態の構成のような、通常モード時に連続的な通電を必要としないような手段を用いるのが好ましい。
【００８６】
ＣＰＵ３が実行するメイン処理について、図２を用いて説明する。ＣＰＵ３は、スイッチング電源４１からの電源供給により起動すると、図示しないメモリから図２のメイン処理のプログラムを読み出して実行する。なお、ＣＰＵ３は、図２のメイン処理によって、通常モードからＯＦＦモードへの切り替えは行うが、ＯＦＦモードから通常モードへの切り替えはＣＰＵ３が主体的に行うものではない。ＯＦＦモード中はＣＰＵ３にも電源が供給されず、ＣＰＵ３は停止している。ＯＦＦモードから通常モードへの切り替えは、既述の通り、復帰条件が成立した場合に省電力チップ７により行われる。ＯＦＦモード時に復帰条件が成立すると、省電力チップ７内の電源制御部１７から発振制御部４２へ電源発振停止・開始パルスが出力され、これによりスイッチング電源４１からの電源供給が開始される。本実施形態ではスイッチング電源４１からの電源供給が開始されている間の動作モードを通常モードと定義しているため、ＣＰＵ３が動作を開始して図２のメイン処理を開始した時点で、すでに動作モードは通常モードになっている。
【００８７】
ＣＰＵ３は、図２のメイン処理を開始すると、Ｓ１１０で、リレードライブ回路１１へリセット指令を出力してラッチングリレー１２をリセット状態にする。Ｓ１２０では、通常モード起動処理を行う。通常モード起動処理は、ＣＰＵ３の起動時に実行される、予め決められたいくつかの処理である。
【００８８】
Ｓ１３０では、ＣＰＵ３の起動が、ＯＦＦモード中に一時的復帰条件が成立したことによる起動であるか否かを判断する。一時的復帰条件とは、ＯＦＦモードが一定時間継続したこと、又はスーパーキャパシタＣ０の充電電圧が下限電圧値以下になったこと、の何れかである。
【００８９】
ＣＰＵ３の起動が、ＯＦＦモード中に一時的復帰条件が成立したことによる起動でない場合は、Ｓ１４０で、電源ソフトスイッチ３１が押し操作されたか否か判断する。電源ソフトスイッチ３１が押し操作されていない場合は、Ｓ１５０で、当該複合機１が使用されていない未使用状態が一定時間継続したか否か判断する。未使用状態が一定時間継続していない場合は、Ｓ１６０でその他の処理（詳細は省略）を行って、Ｓ１４０に戻る。
【００９０】
Ｓ１４０で電源ソフトスイッチ１３が押し操作されたと判断した場合、及びＳ１５０で未使用状態が一定時間継続したと判断した場合は、ＯＦＦモード切替条件が成立したということであるため、ＯＦＦモードへ切り替えるためのＳ１７０及びＳ１８０の処理を行う。
【００９１】
Ｓ１７０では、リレードライブ回路１１へセット指令を出力してラッチングリレー１２をセット状態にする。Ｓ１８０では、電源制御部１７へ、電源発振停止・開始パルス信号の出力を命令する。これにより、電源制御部１７から発振制御部４２へ電源発振停止・開始パルスが出力され、スイッチング電源４１の発振が停止されて、動作モードがＯＦＦモードに移行する。
【００９２】
Ｓ１３０で、ＣＰＵ３の起動が、ＯＦＦモード中に一時的復帰条件が成立したことによる起動である場合は、Ｓ１９０に進み、一時的起動時対応処理を行う。一時的起動時対応処理は、どのような一時的復帰条件が成立したことでＯＦＦモードから通常モードに切り替わったのかによって予め決められている。例えば、ＯＦＦモードが一定時間継続したことにより通常モードに切り替わった場合は、印刷機構のクリーニング処理などの所定の処理が一時的起動時対応処理となり、スーパーキャパシタＣ０の充電電圧が下限電圧値以下になったことにより通常モードに切り替わった場合は、スーパーキャパシタＣ０を一定量充電することが一時的起動時対応処理となる。Ｓ１９０の一時的起動時対応処理を終えたら、Ｓ１７０に進む。
【００９３】
次に、本実施形態の複合機１の動作のうち、ＯＦＦモード時に回線イベント発生によって通常モードに切り替わる場合の動作例を、図３を用いて説明する。通常モード時にＯＦＦモード切替条件が成立すると、ＣＰＵ３は、ＯＦＦモードに切り替わる前の必要な処理を行い、且つラッチングリレー１２をセットする（ｔ１）。これにより、動作モードがＯＦＦモードに移行する（ｔ２）。
【００９４】
ＯＦＦモード移行後、極性反転などの回線イベントが発生すると（ｔ３）、フォトカプラ２４が動作してフォトトランジスタ２６がオンすることにより、電源ソフトスイッチ３１が擬似的にオンされ、省電力チップ７に入力されるスイッチ操作信号ＰｓがＨｉｇｈレベル（３．３Ｖ）からＬｏｗレベル（０Ｖ）に変化する（ｔ４）。これにより、省電力チップ７の電源制御部１７が電源基板４０に電源発振停止・開始パルス信号を出力して、スイッチング電源４１を発振させる。スイッチング電源４１が発振して各ＤＣ電源電圧Ｖ１，Ｖ２，Ｖ３が出力されることで、ＯＦＦモードが解除されて通常モードに復帰する（ｔ５）。
【００９５】
以上説明した本実施形態の複合機１によれば、ＤＡＡ２１に電源が供給されないＯＦＦモード中は、フォトカプラ２４などからなる回線イベント検知回路によって回線イベントを検出し、回線イベントが発生したら電源ソフトスイッチ３１を擬似的にオンさせることで、動作モードを通常モードに復帰させる。そのため、ＯＦＦモードとして、スイッチング電源４１の動作を完全に停止させて消費電力をほぼゼロとする、省電力効果の非常に高いモードを実現しながらも、ＯＦＦモード中であっても回線イベントを検出できる状態を維持することができる。
【００９６】
仮に、ＯＦＦモードに移行する機能を備えているもののＯＦＦモード中は回線イベントを検出できないような構成の場合、電話回線との通信機能を重視するユーザにとっては、そのＯＦＦモードは使えない。ＯＦＦモードを使えるユーザは、電話回線との通信機能を使用しないユーザなど、回線イベントを検出できなくなっても支障のない一部ユーザに限られてしまう。
【００９７】
これに対し、本実施形態の複合機１は、ＯＦＦモード中であっても回線イベントを検出できるため、電話回線との通信機能を重視するユーザも問題なくＯＦＦモードを使用できる。つまり、電話機能やファクシミリ通信機能を備えた複合機１に対しても、容易且つ効果的にＯＦＦモードを導入することができる。
【００９８】
また、ＯＦＦモード中は、バックアップ電源８によって、省電力チップ７や電圧変換部９などの必要最小限の動作が継続される。そのため、ＯＦＦモード中、スイッチング電源４１からの電力供給は途絶えるものの、バックアップ電源８によって、ＯＦＦモードから通常モードへの切り替えを確実に行うことができる。また、省電力チップ７や電圧変換部９に対してスイッチング電源４１から電力供給する必要が無いため、その分、ＯＦＦモード時の省電力効果を高めることができる。
【００９９】
また、回線イベントを検出した場合にそれを省電力チップ７に伝える方法として、電源ソフトスイッチ３１に対して回線イベント検知回路を並列に接続し、これにより回線イベント発生時に電源ソフトスイッチ３１を擬似的にオンさせる方法を採用している。これにより、簡素な構成ながら、回線イベントが検出された場合の通常モードへの切り替えを確実に行うことができる。
【０１００】
また、ラッチングリレー１２を備え、これにより、通常モード中に回線イベント発生によって電源ソフトスイッチ３１が擬似的にオンされてしまうのを防ぐようにしている。つまり、通常モード時には回線イベント検知回路の動作が無効化される。そのため、通常モード時において、回線イベント発生の度に電源ソフトスイッチ３１が擬似的にオンされて動作モードが切り替わってしまうことを防止することができる。
【０１０１】
しかも、ラッチングリレー１２を用いていることで、セット・リセットの切り替え時は通電（パルス）が必要であるもののそれ以外は通電する必要がない。そのため、通常モード時における回線イベント検知回路の無効化を、より低消費電力で実現できる。
【０１０２】
なお、本実施形態において、ＤＡＡ２１は本発明の回線接続部の一例に相当し、スイッチング電源４１は本発明の主電源部の一例に相当し、抵抗Ｒ１からラッチングリレー１２及びフォトカプラ２４を経てパネル基板３０内のグランドラインに至る回路は本発明の操作スイッチ導通用回路の一例に相当し、省電力チップ７は本発明の通常モード設定部の一例に相当し、バックアップ電源８は本発明のバックアップ電源部の一例に相当し、電源ソフトスイッチ３１は本発明の操作スイッチの一例に相当する。
【０１０３】
［他の実施形態］
（１）回線イベントを検出する手段としてフォトカプラ２４を用いるのはあくまでも一例である。フォトカプラ２４に代えて例えばフォトＭＯＳリレーを用いてもよく、一次側（回線側）と二次側を直流的に絶縁しつつ回線イベント発生を二次側に伝達出来る限り、種々の回路構成・素子等を用いることができる。
【０１０４】
（２）ＯＦＦモード時の回線イベント発生を省電力チップ７に伝える方法として、上記実施形態では、電源ソフトスイッチ３１と並列に回線イベント検知回路を設けてこれにより電源ソフトスイッチ３１を擬似的にオンさせる方法を採用したが、これはあくまでも一例である。回線イベントが発生したことを省電力チップ７の起動検知部１５に伝えることができる限り、様々な方法を採用できる。
【０１０５】
（３）上記実施形態では、本発明を複合機１に適用した例を示したが、本発明の適用が複合機１に限定されるものでないことはいうまでもない。電話回線に接続して使用されるあらゆる種類の通信装置に対して本発明を適用可能である。
【符号の説明】
【０１０６】
１…複合機、３…ＣＰＵ、７…省電力チップ、８…バックアップ電源、９…電圧変換部、１０…メイン基板、１１…リレードライブ回路、１２…ラッチングリレー、１３…スイッチ部、１４…Ｓ／Ｒコイル部、１５…起動検知部、１６…ＲＴＣ、１７…電源制御部、２０…通信回路基板、２１…ＤＡＡ、２２…モデム、２３…トランス、２４…フォトカプラ、２５…発光ダイオード部、２６…フォトトランジスタ、３０…パネル基板、３１…電源ソフトスイッチ、４０…電源基板、４１…スイッチング電源、４２…発振制御部、５０…回線接続コネクタ、６０…ラインコード、Ｃ０…スーパーキャパシタ、Ｃ１，Ｃ２…コンデンサ、Ｄ１…ダイオード、Ｌ１，Ｌ２…電話線、Ｌ１１，Ｌ１２…回線接続ライン、Ｒ１…抵抗。
【図１】
2014168177.tif 000003
【図２】
2014168177.tif 000004
【図３】
2014168177.tif 000005